(57)【要約】      （修正有）【課題】  ＨＤＤやＤＶＤから読み出された画像データを再生しているときに、スキップ動作や所定倍率の倍速設定を容易に行えるようにする。【解決手段】  入力部には、第１の操作面１１と第２の操作面１２とが設けられ、両操作面に対する操作が共通の座標検出装置１０で検知される。第１の操作面１１内を指３５で操作すると、画像データの再生位置がスキップする。第２の操作面１２に指３５を触れると、その位置が検出領域１３ａ〜１３ｅのいずれかを判断し、それぞれの検出領域ごとに異なった倍率の倍速再生動作が行われる。【選択図】図３
2005340890.tif 000002
【特許請求の範囲】
【請求項１】
記憶手段に記憶された所定量の画像データを読み出して表示装置に与える画像処理装置において、
入力部と、前記入力部からの操作信号に応じて前記表示装置の表示状態を制御する表示制御部とが設けられ、
前記入力部には、操作面と、前記操作面上で操作体が触れた位置を検出でき且つ前記操作面上で操作体が移動したことを検出可能な位置検出手段とが設けられており、
前記表示制御部は、前記位置検出手段から与えられた操作位置の検出信号に基づいて、前記表示装置で表示される画像データの再生位置または再生速度の少なくとも一方を変化させることを特徴とする画像処理装置。
【請求項２】
前記表示制御部では、前記位置検出手段の操作位置が所定の順方向へ向けて移動したと認識したときに、前記画像データの再生位置を進み方向へスキップさせる制御が行われる請求項１記載の画像処理装置。
【請求項３】
前記表示制御部では、前記位置検出手段の操作位置が前記順方向と逆向きの逆方向へ向けて移動したと認識したときに、前記画像データの再生位置を戻し方向へスキップさせる制御が行われる請求項２記載の画像処理装置。
【請求項４】
前記操作面が、複数の検出領域に区分されており、前記表示制御部では、前記操作面での操作位置がどの検出領域であるかを判断して、前記検出領域ごとに異なる倍率の再生速度を設定する請求項１記載の画像処理装置。
【請求項５】
前記操作面上での前記操作体の移動方向、移動速度、移動距離の少なくとも１つを認識して、異なる倍率の再生速度を設定する請求項１記載の画像処理装置。
【請求項６】
前記操作面として第１の操作面と第２の操作面とを有し、前記第２の操作面は複数の検出領域に区分されており、
前記表示制御部では、前記第１の操作面の操作位置が所定の順方向へ向けて移動したと認識したときに、前記画像データの再生位置を進み方向へスキップさせ、さらに前記第２の操作面での操作位置がどの検出領域であるかを判断して、スキップ後の画像データの再生速度を前記検出領域ごとに異なる倍率に設定する請求項１記載の画像処理装置。
【請求項７】
前記第２の操作面では、前記第１の操作面での前記順方向に向けて検出領域ごとに再生倍速が順に大きくなるように設定される請求項６記載の画像処理装置。
【請求項８】
前記表示制御部では、前記位置検出手段の操作位置が前記順方向と逆向きの逆方向へ向けて移動したと認識したときに、前記画像データの再生位置を戻し方向へスキップさせる制御が行われ、前記戻し方向へのスキップが行われるときに、前記第２の操作面での検出領域と再生速度の倍率との関係を前記順方向と逆の配列に設定する請求項７記載の画像処理装置。
【請求項９】
前記操作面として第１の操作面と第２の操作面とを有し、
前記表示制御部では、前記第１の操作面の操作位置が所定の順方向へ向けて移動したと認識したときに、前記画像データの再生位置を進み方向へスキップさせ、さらに前記第２の操作面上での前記操作体の移動方向、移動速度、移動距離の少なくとも１つを認識して、異なる倍率の再生速度を設定する請求項１記載の画像処理装置。
【請求項１０】
前記第２の操作面では、前記第１の操作面での前記順方向と同じ方向へ操作体が移動したときに再生倍速が順に大きくなるように設定される請求項９記載の画像処理装置。
【請求項１１】
前記表示制御部では、前記位置検出手段の操作位置が前記順方向と逆向きの逆方向へ向けて移動したと認識したときに、前記画像データの再生位置を戻し方向へスキップさせる制御が行われ、前記戻し方向へのスキップが行われるときに、前記第２の操作面での操作体の移動方向と再生速度の倍率との関係を前記順方向と逆の向きに設定する請求項１０記載の画像処理装置。
【請求項１２】
前記第１の操作面と前記第２の操作面とで共通の位置検出手段が使用され、この位置検出手段では、前記第１の操作面と前記第２の操作面とで、その操作領域が区分設定されている請求項６ないし１１のいずれかに記載の画像処理装置。
【発明の詳細な説明】
【技術分野】
【０００１】
本発明は、所定量の画像データが読み出されて表示装置に与えられる画像処理装置に係り、特に前記画像データの再生位置のスキップ動作や、再生倍速の設定を容易に行える画像処理装置に関する。
【背景技術】
【０００２】
現在、テレビジョン受信信号などを記録する画像処理装置として、ＨＤＤ（ハードディスクドライブ）やＤＶＤ（ディジタルバーサタイルディスク）を搭載したものがある。前記ＨＤＤやＤＶＤは、画像データの記録容量が大きいとともに、ビデオテーププレーヤと異なって、画像データの再生位置のスキップが可能であり、また再生速度の倍速設定も容易で且つ多種類の倍速設定が可能な利点を有している。
【０００３】
前記画像処理装置の操作のための入力部としては、ワイヤレス方式のリモコンで且つ複数の押釦を有するものを使用しているのが一般的である。しかし、押釦の操作方式では、前記スキップ操作や、５倍速、１０倍速、２０倍速、３０倍速などの異なる再生速度の設定操作を行うのに不便である。例えば前記スキップ操作や、種々の倍率設定ごとに異なる操作釦を設けると、入力部での押釦の量が多くなりすぎ、また操作しにくいものとなる。
【０００４】
以下の特許文献１には、平面型の座標検出装置と、テンキー式のスイッチとが組み合わされた入力装置が開示されている。この入力装置では、座標検出装置からの位置検出信号と、前記スイッチからの入力信号の双方を利用することにより、多種の情報の入力を行うことが可能である。しかしながら、前記のように多量の情報が表示される表示装置に前記入力装置を使用したとしても、ＨＤＤやＤＶＤなどを使用した画像処理装置において、スキップ操作や再生倍速の設定などを操作しやすい状態で行うのは困難である。
【特許文献１】特開２００２−１２３３６３号公報
【発明の開示】
【発明が解決しようとする課題】
【０００５】
本発明は前記従来の課題を解決するものであり、記憶部から画像データを読み出して表示装置で表示させる画像処理装置において、記憶部から読み出した画像データのスキップ操作や、再生速度の倍速設定を容易に且つ良好な操作性に基づいて行うことができ、また画面上での画像状態と操作状態との関係を直感的に結びつけやすい画像処理装置を提供することを目的としている。
【課題を解決するための手段】
【０００６】
本発明は、記憶手段に記憶された所定量の画像データを読み出して表示装置に与える画像処理装置において、
入力部と、前記入力部からの操作信号に応じて前記表示装置の表示状態を制御する表示制御部とが設けられ、
前記入力部には、操作面と、前記操作面上で操作体が触れた位置を検出でき且つ前記操作面上で操作体が移動したことを検出可能な位置検出手段とが設けられており、
前記表示制御部は、前記位置検出手段から与えられた操作位置の検出信号に基づいて、前記表示装置で表示される画像データの再生位置または再生速度の少なくとも一方を変化させることを特徴とするものである。
【０００７】
本発明では、操作面に指などの操作体を触れさらに移動させるときの移動位置を検出することで、狭いスペースの操作面で種々の設定を容易に行える。また指の移動動作とスキップ動作や再生倍速の設定とを方向性を持たせて設定し、操作状態と画面の表示状態とを感覚的に結びつけるような操作も可能である。
【０００８】
例えば、前記表示制御部では、前記位置検出手段の操作位置が所定の順方向へ向けて移動したと認識したときに、前記画像データの再生位置を進み方向へスキップさせる制御が行われる。
【０００９】
また、前記表示制御部では、前記位置検出手段の操作位置が前記順方向と逆向きの逆方向へ向けて移動したと認識したときに、前記画像データの再生位置を戻し方向へスキップさせる制御が行われる。
【００１０】
このように、操作面上での操作体の移動方向と画像データでのスキップ位置との方向を一致させることにより、画像データの所望箇所へのスキップ操作を行いやすくなる。
【００１１】
さらに本発明は、前記操作面が、複数の検出領域に区分されており、前記表示制御部では、前記操作面での操作位置がどの検出領域であるかを判断して、前記検出領域ごとに異なる倍率の再生速度を設定することも可能である。
【００１２】
あるいは、本発明は、前記操作面上での前記操作体の移動方向、移動速度、移動距離の少なくとも１つを認識して、異なる倍率の再生速度を設定することができる。
【００１３】
また本発明は、前記操作面として第１の操作面と第２の操作面とを有し、前記第２の操作面は複数の検出領域に区分されており、
前記表示制御部では、前記第１の操作面の操作位置が所定の順方向へ向けて移動したと認識したときに、前記画像データの再生位置を進み方向へスキップさせ、さらに前記第２の操作面での操作位置がどの検出領域であるかを判断して、スキップ後の画像データの再生速度を前記検出領域ごとに異なる倍率に設定するものとして構成できる。
【００１４】
この場合に、前記第２の操作面では、前記第１の操作面での前記順方向に向けて検出領域ごとに再生倍速が順に大きくなるように設定されることが好ましい。
【００１５】
また、前記表示制御部では、前記位置検出手段の操作位置が前記順方向と逆向きの逆方向へ向けて移動したと認識したときに、前記画像データの再生位置を戻し方向へスキップさせる制御が行われ、前記戻し方向へのスキップが行われるときに、前記第２の操作面での検出領域と再生速度の倍率との関係を前記順方向と逆の配列に設定することも可能である。
【００１６】
このように、第１の操作面の操作方向に対応して進みスキップと戻しスキップを設定し、第２の操作面では、前記スキップ方向へ対応させて、その操作方向に応じて順に倍速の大きさが設定されると、第１の操作面および第２の操作面の双方の操作において、画面の表示状態と操作状態とを操作者が感覚的に対応させやすくなる。
【００１７】
さらに本発明は、前記操作面として第１の操作面と第２の操作面とを有し、
前記表示制御部では、前記第１の操作面の操作位置が所定の順方向へ向けて移動したと認識したときに、前記画像データの再生位置を進み方向へスキップさせ、さらに前記第２の操作面上での前記操作体の移動方向、移動速度、移動距離の少なくとも１つを認識して、異なる倍率の再生速度を設定するものとして構成できる。
【００１８】
この場合にも、前記第２の操作面では、前記第１の操作面での前記順方向と同じ方向へ操作体が移動したときに再生倍速が順に大きくなるように設定されるものとすることが可能である。
【００１９】
さらに、前記表示制御部では、前記位置検出手段の操作位置が前記順方向と逆向きの逆方向へ向けて移動したと認識したときに、前記画像データの再生位置を戻し方向へスキップさせる制御が行われ、前記戻し方向へのスキップが行われるときに、前記第２の操作面での操作体の移動方向と再生速度の倍率との関係を前記順方向と逆の向きに設定することが可能である。
【００２０】
また本発明は、前記第１の操作面と前記第２の操作面とで共通の位置検出手段が使用され、この位置検出手段では、前記第１の操作面と前記第２の操作面とで、その操作領域が区分設定されているものとすることができる。
【００２１】
共通の位置検出装置を用い、この位置検出装置に第１の操作面と第２の操作面を割り振って区分するように設定すると、操作部品数を削減できる。ただし、本発明では、第１の操作面と第２の操作面を異なる検出手段で形成することもできる。位置検出手段は、静電容量式や、操作面が変形することによって複数の接点が順に接触する軟質なタッチスイッチなどを使用可能である。
【発明の効果】
【００２２】
本発明では、記憶部から画像データを読み出して再生表示するにあたり、再生箇所のスキップや、異なる再生倍率の設定などを容易に行うことができる。
【発明を実施するための最良の形態】
【００２３】
図１は本発明の実施の形態の画像処理装置の外観図、図２は前記画像処理装置の構成ブロック図、図３（Ａ）（Ｂ）と図４（Ａ）（Ｂ）は操作部での操作と画面表示との関係を示す説明図、図５は画像処理装置の動作フローチャートである。
【００２４】
図１に示す表示機器１は、画像処理装置３とこの画像処理装置３を操作するワイアレス方式のリモコンである入力部２と、前記画像処理装置３から映像信号が与えられる表示装置４とを有している。前記表示装置４は、テレビジョン受像機であり、アンテナで受信したアナログテレビ放送やディジタルテレビ放送を受信できるものである。また前記表示装置４は、前記画像処理装置３で記憶されていた画像データに基づく画像信号が与えられて前記画像データを再生する機能を有している。
【００２５】
なお、本発明は、前記画像処理装置３と表示装置４とが一体の筐体内に設けられたものであってもよい。また前記入力部２と前記画像処理装置３は、ワイヤレス方式で通信するものであってもよいし、ケーブルで接続されて通信するものであってもよい。さらに前記入力部２と前記画像処理装置３とが一体化されたものであってもよい。
【００２６】
図２に示すように、前記入力部２には、スイッチ操作部５と位置検出手段として機能する座標検出装置１０とが搭載されている。前記入力部２には、入力制御部６が設けられており、この入力制御部６では、前記座標検出装置１０の入力に応じた位置検出信号が生成され、また前記スイッチ操作部５の個々のスイッチ入力に応じた操作信号が生成される。入力部２には赤外線送信方式またはＲＦ送信方式の送信部７が備えられており、前記位置検出信号とスイッチ操作信号が、前記送信部７から画像処理装置３に送信される。
【００２７】
前記入力部２は、ケース８を有しており、このケース８の上面に前記スイッチ操作部５が配列している。また、前記ケース８の上面に、第１の操作面１１と第２の操作面１２が設けられており、この第１の操作面１１と第２の操作面１２によって共通の前記座標検出装置１０を操作できるようになっている。
【００２８】
図３（Ｂ）と図４（Ｂ）は、前記入力部２の上面の一部を拡大して示している。前記ケース８の上面には、横方向（Ｘ方向）へ細長で長方形状の窓８ａと窓８ｂが互いに並行に開口している。前記ケース８の上面の内部には位置検出手段として機能する前記座標検出装置１０が設けられている。前記座標検出装置１０の一部が前記窓８ａおよび前記窓８ｂ内に露出しており、窓８ａ内に露出している部分が第１の操作面１１として機能し、窓８ｂ内に露出している部分が第２の操作面１２として機能している。
【００２９】
前記座標検出装置１０は静電容量式である。静電容量式の座標検出装置１０は、誘電体基板に、Ｙ方向へ延びてＸ方向へ一定のピッチで形成されたＸ位置検出電極と、隣り合うＸ位置検出電極との間にそれぞれ位置するアース電極とが設けられ、指などの導電体が操作面１１または１２に触れたときの、Ｘ位置検出電極とアース電極との間の静電容量の変化が検出され、これによって操作面１１または１２において操作体が触れた位置のＸ座標が検出される。
【００３０】
また、前記座標検出装置１０には、誘電体基板にＸ方向に延びてＹ方向へ一定のピッチで形成されたＹ位置検出電極と、隣り合うＹ位置検出電極の間にそれぞれ位置するアース電極とが設けられて、前記と同様にして操作体が触れた位置のＹ座標位置が検出できるようになっている。
【００３１】
前記座標検出装置１０では、その検出領域が第１の操作面１１と第２の操作面１２に区分されているが、第１の操作面１１が操作されたか、第２の操作面１２が操作されたかは、前記座標検出装置１０において操作された箇所のＹ方向での位置座標を検出することで認識できる。
【００３２】
さらに前記第２の操作面１２では、その検出領域がＸ方向に向けて区分されている。区分された検出領域は符号１３ａ，１３ｂ，１３ｃ，１３ｄ，１３ｅで示されている。検出領域１３ａ〜１３ｅは、Ｘ方向へ一定の寸法ごとに区分されており、どの検出領域が操作されたかは、まずＹ方向の座標検出により第２の検出面１２が操作されたことが認識された後に、さらにＸ方向の座標を検出することにより認識される。
【００３３】
前記スイッチ操作部５では、前記ケース８の上面に複数の押釦１５が配列しており、前記ケース８内にはそれぞれの押釦１５の押圧操作により切換えられるスイッチ素子が設けられている。図３（Ｂ）と図４（Ｂ）には、前記押釦１５のうちの、再生設定釦１５ａ、停止操作釦１５ｂ、スキップ・倍速設定釦１５ｃが示されている。
【００３４】
図２に示すように、前記画像処理装置３には、前記入力部２の送信部７から送信された赤外線またはＲＦ信号による操作信号を受信処理する受信部２１と、前記受信部２１で受信された前記操作信号を解析処理する受信信号処理部２２と、前記受信信号処理部２２で処理された操作信号に応じて、前記表示装置４の画像表示形態を制御する表示制御部２３とを有している。
【００３５】
前記画像処理装置３内には、大容量の記憶部２４が設けられており、映像信号と音声信号とが、所定の規格に応じて圧縮されたデータとして記憶されている。前記記憶部２４に記憶されているデータは、データ処理部２５に読み出される。前記データ処理部２５には、画像データや音声データを一時的に記憶するバッファメモリや、記憶部２４から読み出されたデータを復調して表示制御部２３に送るデコーダなどが設けられている。
【００３６】
前記記憶部２４は、ＨＤＤであり、複数枚の磁気記録式のハードディスクと、前記ハードディスクにデータを書き込みまたはデータを読み出す磁気ヘッドとを有している。また前記記憶部２４はＤＶＤであってもよいし、その他の磁気記録方式、光記憶方式、光磁気記憶方式の記録ディスクであってもよい。さらには、前記記憶部２４が書き込み可能な大容量メモリ素子であってもよい。
【００３７】
さらに、本発明では、前記記憶部２４が、画像処理装置３とは全く別の位置に存在しているいわゆるプロバイダに装備されており、前記プロバイダからインターネット回線等を利用して前記画像処理装置３に送信されるものであってもよい。
【００３８】
次に、前記画像処理装置３を使用した第１の制御動作を説明する。
通常の再生動作では、前記記憶部２４から読み出された画像データおよび音声データがデータ処理部２５で復調処理され、表示制御部２３でテレビジョン用の映像信号と音声信号が生成されて表示装置４に送られる。そして図３（Ａ）および図４（Ａ）に示す表示装置４の画面３１に所定量の画像データと音声データから再生された映像が映し出されまた音声が出力される。
【００３９】
映像の再生時間の合計が例えば２時間や３時間の長時間にわたるものであって、視聴者がいずれかの再生位置へスキップさせたいときには、入力部２によってスキップ操作を行う。このとき、導電体の操作体である指３５が、座標検出装置１０において第１の操作面１１に触れたと検出されたことを認識されたときに、またはスキップ・倍速設定釦１５ｃが押されたことが認識されたときに、スキップ動作モードが設定される。
【００４０】
前記第１の操作面１１に指が触れると、座標検出装置１０がこれを検出でき、その検出信号が入力制御部６に与えられる。または、前記スキップ・倍速設定釦１５ｃが押されスイッチ素子が切換えられると、その切換信号が入力制御部６に与えられる。このとき入力制御部６で所定の操作信号が生成され、送信部７から送信されて受信部２１で受信される。受信部２１で受信された操作信号は受信信号処理部２２で解析され、受信信号処理部２２でスキップモードが設定されたと認識してその情報が表示制御部２３に与えられる。そして表示制御部２３は、データ処理部２５および表示装置４を制御してスキップ動作処理を行わせる。
【００４１】
スキップ動作モードが設定されると、図３（Ａ）、図４（Ａ）に示すように、表示装置４の画面３１に下方に、スケール表示４１と指示表示４２が現れる。このスケール表示４１と指示表示４２の画像データは、データ処理部２５または表示制御部２３内の記憶領域に記憶されており、前記表示制御部２３の表示制御によって前記画像データが読み出されて復調され、前記画面３１に表示される。
【００４２】
前記スケール表示４１の横方向の全長寸法は、現在再生中の画像データ（記憶部２４から引き出されたメインの画像データ）の再生時間総長に一致しており、Ｘ１方向が画像データの再生順の進み方向であり、Ｘ２方向が画像データの再生順の戻り方向に一致している。前記指示表示４２は、前記再生時間総長内での現在の再生時刻位置に対応する箇所に位置している。
【００４３】
前記第１の操作面１１に触れた指３５をＸ方向へスライドさせることによりスキップ動作が行われる。このとき表示制御部では、第１の操作面１１のＸ方向での検出領域の全長が、前記スケール４１の全長、すなわち画像データの再生時間総長に対応するものとして認識する。例えば、指３５を第１の操作面１１に触れてこの指３５を第１の操作面１１の全長の半分の領域まで移動させると、画面３１での指示表示４２がスケール表示４１の長さの半分の位置まで移動する。そして画像データの再生位置が再生時間総長の半分の位置にスキップする。
【００４４】
また、前記第１の操作面１１における指３５の移動方向によって、順方向のスキップ動作か逆方向のスキップ動作かを区別させて操作できる。
【００４５】
図３（Ａ）（Ｂ）は、スキップ方向が順方向である場合を示している。前記第１の操作面１１上で指３５を動かして、座標検出装置１０において接触している指３５の検出位置の移動方向がＸ１方向であると検出されたとき、表示制御部２３では、順方向へのスキップ動作を行うように制御される。このとき、再生中の画像データの再生位置が進み方向へスキップする。このとき指示表示４２は、指３５の移動に伴って、スケース表示４１上をＸ１方向へ移動する。
【００４６】
図４（Ａ）（Ｂ）は、スキップ方向が順方向と逆の逆方向である場合を示している。前記第１の操作面１１上で指３５を動かして、座標検出装置１０において接触している指３５の検出位置の移動方向がＸ２方向であると検出されたとき、表示制御部２３では、逆方向へのスキップ動作を行うように制御される。このとき、再生中の画像データの再生位置が戻り方向へスキップする。このとき、指示表示４２はスケール表示４１に沿ってＸ２方向へ移動する。
【００４７】
前記スキップ操作が行われた後に、指３５が前記第１の操作面１１から離れたと検出されたときに、表示制御部２３では自動的に再生モードへ移行するように制御し、スキップした位置から画像データの通常速度の再生に自動的に移行する。あるいは、前記スキップ動作が行われた後に、画像データの再生を一時停止する停止モード、またはスキップ位置の画像を静止して表示するポーズモードに設定されてもよい。この場合には、その後に再生設定釦１５ａが押されたことが検知されたときに通常速度の再生モードへ移行する。
【００４８】
また、記憶部２４に記憶されている画像データおよび音声データが通常の速度で再生されているときに、倍速モードの設定が可能である。この倍速モードは、座標検出装置１０からの検出信号により、操作体である指３５が、第２の操作面１２での複数の検出領域１３ａ，１３ｂ，１３ｃ，１３ｄ，１３ｅのいずれかに触れたことが検出されたときに自動的に移行するように前記表示制御部２３で制御される。あるいは、前記前記スキップ・倍速設定釦１５ｃが押されたときに、倍速モードへ移行するためのスタンバイ状態に設定され、その後に指３５が検出領域１３ａ〜１３ｅのいずれかに触れたことが検出されたときにその検出領域に対応した倍率の倍速モードが設定されもよい。
【００４９】
スキップ動作が行われなかったとき、すなわち通常の定速の再生モードから倍速モードに移行するとき、あるいは図３（Ａ）（Ｂ）に示すように順方向でのスキップ動作を行った後に倍速モードに移行する際には、Ｘ１方向に向けて順に再生倍速が増大するように検出領域１３ａ〜１３ｅが割り振られる。例えば検出領域１３ａが「２倍速（×２）」、検出領域１３ｂが「５倍速（×５）」、検出領域１３ｃが「１０倍速（×１０）」、検出領域１３ｄが「２０倍速（×２０）」、検出領域１３ｅが「３０倍速（×３０）」に設定される。
【００５０】
また、図４（Ａ）（Ｂ）に示すように、逆方向でのスキップ動作を行った後に倍速モードを設定する際には、前記検出領域での倍速の設定順番が、前記順方向と逆向きの配列となるように割り振られる。例えば、検出領域１３ｅが「２倍速（×２）」、検出領域１３ｄが「５倍速（×５）」、検出領域１３ｃが「１０倍速（×１０）」、検出領域１３ｂが「２０倍速（×２０）」、検出領域１３ａが「３０倍速（×３０）」に設定される。
【００５１】
ここで、スキップ動作を行った後に倍速モードが設定される場合には次のように制御される。前記順方向または逆方向へのスキップ動作の操作を行い、その後に指３５を第１の操作面１１から離した後の所定時間（例えば２〜５秒間）のうちに、第２の操作面１１に指３５が触れなかったときには、そのままスキップ位置からの通常速度の再生動作に自動的に移行する。ただし、第１の操作面から指３５を離した後に前記所定時間内に第２の操作面１２に指３５が触れたことが検出されたら倍速モードに設定される。
【００５２】
あるいは、スキップ動作を行った後に、再生設定釦１５ａを押すことによって再生モードに設定し、再生設定釦を押す前に第２の操作面１２に指３５が触れたときに倍速モードが設定されてもよい。または、スキップ動作が完了したときに再生設定釦１５ａを押すと再生モードへ移行し、スキップ動作が完了した後にスキップ・倍速設定釦１５ｃが押されたら倍速モードに設定されるように制御されてもよい。
【００５３】
いずれの場合も、順方向へのスキップ動作を行ってから倍速モードへ移行すると、前記のように再生倍速の設定領域が、検出領域１３ａから検出領域１３ｅに向うにしたがって徐々に倍数が多くなるように設定される。なお、前述のようにスキップ動作を行わずに第２の操作面１２に指３５が触れたときの検出領域の割り振りも同じである。また、逆方向へのスキップ動作を行ってから倍速モードへ移行すると、検出領域での倍速の設定順が前記と逆になり、検出領域１３ａから検出領域１３ｅに向うにしたがって設定倍率が徐々に小さくなるように設定される。
【００５４】
第２の操作面１２に指３５が触れていると検出されると、前記のように倍速モードが設定される。例えば、検出領域１３ｂに指３５が触れ続けると画面３１での画像の再生速度が「５倍速（×５）」で継続する。指３５を第２の操作面内で移動させて指３５を隣の検出領域１３ｃに移行させると、再生速度は「５倍速（×５）」から「１０倍速（×１０）」に変更される。
【００５５】
なお、いずれかの倍率で倍速再生が行われているときに、第２の操作面１２から指３５が離れたと検知されたときに、自動的に通常速度の再生に移行してもよいし、あるいは第２の操作面１２から指を離したときに、そのときに設定された倍率で倍速再生が継続させられ、その後に再生設定釦１５ａが押されたのを検知してから通常の速度の再生モードに移行してもよい。
【００５６】
図５は、前述した画像処理装置３での表示制御部２３の制御動作を示している。図５ではフローのステップを「ＳＴ」で表している。
【００５７】
ＳＴ１は、記憶部２４から読み出された画像データが通常の再生速度で再生されている状態を示している。ＳＴ２では、スキップ動作の設定が行われたか、すなわち第１の操作面１１に指３５が触れたか否かを待機する。指３５が第１の操作面１１に触れたと検出されたときにはＳＴ３に移行し、ＳＴ３で指３５の移動方向が順方向と判断されたときには、ＳＴ４に移行して順方向へのスキップ動作処理が行われる。次にＳＴ５において通常速度の再生モードに移行したか判断され、移行した場合にはＳＴ６でスキップ位置からの再生モードが設定される。
【００５８】
前記ＳＴ３において、第１の操作面１１での指３５の移動方向が逆方向であると検出されたときにはＳＴ７に移行して逆方向へのスキップモードが設定される。ＳＴ８では再生モードに設定されたかが判断され、再生モードが設定されると、ＳＴ９に移行し、スキップ位置からの通常速度の再生が行われる。
【００５９】
次に、前記ＳＴ２において第１の操作面１１に指３５が触れたことが検出されない状態で、第２の操作面１２に指３５が触れたと検出されたときにはＳＴ１１に移行して倍速設定モードに移行する。また、前記順方向のスキップ動作（ＳＴ４）の後において、ＳＴ５で再生操作が設定されなかったときで、且つ指３５が第２の操作面１２に触れたと検出されたときにもＳＴ１１に移行して倍速モードが設定される。
【００６０】
この場合の倍速モードでは、既に、検出領域１３ａが「２倍速（×２）」、検出領域１３ｂが「５倍速（×５）」、検出領域１３ｃが「１０倍速（×１０）」、検出領域１３ｄが「２０倍速（×２０）」、検出領域１３ｅが「３０倍速（×３０）」に設定されている。
【００６１】
そして、ＳＴ１２では、指３５が前記検出領域１３ａ〜１３ｅのどの位置に触れられているかを検出し、ＳＴ１３に移行して、指３５が触れている検出領域に対応した倍率の倍速再生が行われる。ＳＴ１４では、いずれかの倍率で倍速モードが設定されているときに、指３５が他の検出領域に移行して設定すべき倍速再生の倍率が変更されたか否かを判断する。指３５が第２の操作面１２内を移動して再生倍率が変更されたと判断すると、ＳＴ１２に戻り、新たに設定された倍率の倍速モードでの再生が行われる。倍速の設定に変更がないときには、ＳＴ１５において倍速モードが終了か否か、すなわち再生モードへ移行したか否かを認識し、倍速モードの設定が完了すると、ＳＴ１６に移行して再生動作が行われる。
【００６２】
次に、前記ＳＴ８において、逆方向のスキップ動作が完了した後に再生モードへ移行せずに、ＳＴ２１において倍速モードが設定されたと判断したときには、ＳＴ２２に移行して、検出領域と倍速設定の倍率を順方向と逆に設定し、例えば検出領域１３ｅが「２倍速（×２）」、検出領域１３ｄが「５倍速（×５）」、検出領域１３ｃが「１０倍速（×１０）」、検出領域１３ｂが「２０倍速（×２０）」、検出領域１３ａが「３０倍速（×３０）」に設定される。
そして、ＳＴ１２に移行して、倍速再生モードが実行される。
【００６３】
次に、前記画像処理装置３を使用した第２の制御動作を説明する。
前記第１の制御動作では、座標検出装置１０の第２の操作面１２を検出領域１３ａ〜１３ｅに区分していたが、第２の制御動作では、前記検出領域を区分せず、第２の操作面１２に指３５が触れてさらに移動するときの方向、速度、距離の少なくとも１つを利用して、再生速度の倍率を設定する。
【００６４】
例えば第２の操作面１２に触れた指３５を順方向であるＸ１方向へ移動したときに、その移動距離に応じて再生倍率を設定する。例えば、指３５をＸ１方向へ短い距離移動させて指３５を止めると、表示制御部２３では、「２倍速（×２）」を設定し、前記停止位置よりもさらにＸ１方向へ移動させると「５倍速（×５）」が設定される。
【００６５】
あるいは、第２の操作面１２に触れている指３５をＸ１方向へ移動する速度によって前記再生倍率を設定する。例えば、指３５をゆっくり動かすと「２倍速（×２）」を設定し、それよりも速く動かすと「５倍速（×５）を設定する。
【００６６】
また、指３５をＸ１方向へ動かすときに、その距離または速度のいずれかを検知して、距離や速度の増大に応じて再生倍率を段階的にまたは連続的に大きくしていき、逆に指３５を逆方向であるＸ２方向へ動かすと、その距離または速度のいずれかを検知して、距離や速度の増大に応じて再生倍率を段階的にまたは連続的に小さくしていく。
【００６７】
さらには、第１の操作面１１で指３５を順方向であるＸ１方向へ移動させて画像再生位置が進み方向へスキップさせたときには、その後に指３５をＸ１方向へ移動する移動距離または移動速度を増大させるのに応じて再生倍率が段階的にまたは連続的に大きくなる。そして、第１の操作面１１で指３５を逆方向であるＸ２方向へ移動させて画像再生位置が戻り方向へスキップさせたときには、その後に指３５をＸ２方向へ向けて移動する移動距離または移動速度を増大させるのに応じて再生倍率が段階的にまたは連続的に小さくなるようにしてもよい。
【図面の簡単な説明】
【００６８】
【図１】本発明の実施の形態の画像処理装置の外観を示す斜視図、
【図２】前記画像処理装置と入力部の回路ブロック図、
【図３】（Ａ）は順方向のスキップ動作の表示画面、（Ｂ）は順方向のスキップ動作を説明する入力部の説明図、
【図４】（Ａ）は逆方向のスキップ動作の表示画面、（Ｂ）は順方向のスキップ動作を説明する入力部の説明図、
【図５】表示制御部の制御動作を示すフローチャート、
【符号の説明】
【００６９】
１  表示機器
２  入力部
３  画像処理装置
４  表示装置
５  スイッチ操作部
６  出力制御部
７  送信部
８  ケース
１０  座標検出装置
１１  第１の操作面
１２  第２の操作面
１３ａ〜１３ｅ  検出領域
１５ａ  再生設定釦
１５ｃ  スキップ・倍速設定釦
３１  画面
４１  スケール表示
４２  指示表示
【図１】
2005340890.tif 000003
【図２】
2005340890.tif 000004
【図３】
2005340890.tif 000005
【図４】
2005340890.tif 000006
【図５】
2005340890.tif 000007